(57)【要約】高精度な距離検出を実現できる車載用ステレオカメラ装置を提供する。互いの視野が重なるように車両上に配置された左カメラ及び右カメラと、左カメラ及び右カメラにより撮像される画像及び左カメラ及び右カメラの車両上の位置に基づき、車両外の物体までの距離を算出するステレオ処理部と、左カメラ及び右カメラの近傍に配置され、左カメラ及び右カメラのずれ量を検出するセンサとを備える車載ステレオカメラ装置が提供される。ステレオ処理部は、ずれ量に基づいて、左カメラ及び右カメラにより撮像される画像の切り出し位置を変更する。
2017042999.tif 000002
【特許請求の範囲】
【請求項１】
互いの視野が重なるように車両上に配置された第１撮像部及び第２撮像部と、
前記第１撮像部及び前記第２撮像部により撮像される画像と、前記第１撮像部及び前記第２撮像部の車両上の位置と、に基づき、車両外の物体までの距離を算出する制御部と、
前記第１撮像部の近傍に配置され、前記第１撮像部のずれ量を検出する第１検出部と、
前記第２撮像部の近傍に配置され、前記第２撮像部のずれ量を検出する第２検出部と、を備え、
前記制御部は、前記第１検出部により検出されたずれ量に基づいて、前記第１撮像部により撮像される画像の切り出し位置を変更し、前記第２検出部により検出されたずれ量に基づいて、前記第２撮像部により撮像される画像の切り出し位置を変更する、
車載用ステレオカメラ装置。
【請求項２】
前記第１検出部は、
前記第１撮像部と、前記第１撮像部を保持する保持部とのうち、いずれか一方に保持された第１のフォトインタラプタと、
前記第１撮像部と、前記第１撮像部を保持する保持部とのうち、他方に保持され、前記第１のフォトインタラプタの光路上に配置された第１の遮光部と、を備え、
前記第２検出部は、
前記第２撮像部と、前記第２撮像部を保持する保持部とのうち、いずれか一方に保持された第２のフォトインタラプタと、
前記第２撮像部と、前記第２撮像部を保持する保持部とのうち、他方に保持され、前記第２のフォトインタラプタの光路上に配置された第２の遮光部と、を備える、
請求項１に記載の車載用ステレオカメラ装置。
【請求項３】
前記第１検出部は、
前記第１撮像部と、前記第１撮像部を保持する保持部とのうち、いずれか一方に保持された第１のホール素子と、
前記第１撮像部と、前記第１撮像部を保持する保持部とのうち、他方に保持された第１の磁性体と、を備え、
前記第２検出部は、
前記第２撮像部と、前記第２撮像部を保持する保持部とのうち、いずれか一方に保持された第２のホール素子と、
前記第２撮像部と、前記第２撮像部を保持する保持部との他方に保持された第２の磁性体と、を備える、
請求項１に記載の車載用ステレオカメラ装置。
【請求項４】
前記第１検出部は、
前記第１撮像部に保持された第１のレーザー光発光素子及び第１の受光素子を備え、
前記第２検出部は、
前記第２撮像部に保持された第２のレーザー光発光素子及び第２の受光素子を備える、
請求項１に記載の車載用ステレオカメラ装置。
【請求項５】
前記第１検出部は、
前記第１撮像部と、前記第１撮像部を保持する保持部とのうち、いずれか一方に保持された第１のレーザー光発光素子及び第１の受光素子と、
前記第１撮像部と、前記第１撮像部を保持する保持部との他方に保持された第１の反射板と、を備え、
前記第２検出部は、
前記第２撮像部と、前記第２撮像部を保持する保持部とのうち、いずれか一方に保持された第２のレーザー光発光素子及び第２の受光素子と、
前記第２撮像部と、前記第２撮像部を保持する保持部との他方に保持された第２の反射板と、を備える、
請求項１に記載の車載用ステレオカメラ装置。
【請求項６】
前記制御部は、
前記車両が通電状態とされるたびに前記ずれ量を求めて記憶し、通電回数が所定数に達すると前記ずれ量の平均値を求め、前記ずれ量の平均値に基づいて前記切り出し位置を変更する、
請求項１に記載の車載用ステレオカメラ装置。
【請求項７】
撮像部の近傍に配置され、前記撮像部のずれ量を検出する検出部を備えた車載用ステレオカメラ装置の補正方法であって、
前記検出部によって、前記撮像部のずれ量を検出するステップと、
前記ずれ量に基づいて、前記撮像部により撮像される画像の切り出し位置を変更するステップと、を備える
車載用ステレオカメラ装置の補正方法。
【請求項８】
前記車両が通電状態とされるたびに前記ずれ量を求めて記憶し、通電回数が所定数に達すると前記ずれ量の平均値を求め、前記ずれ量の平均値に基づいて前記切り出し位置を変更するステップを、さらに備える
請求項７に記載の車載用ステレオカメラ装置の補正方法。
【発明の詳細な説明】
【技術分野】
【０００１】
本開示は、車載用ステレオカメラ装置に関する。
【背景技術】
【０００２】
特許文献１は、位置ずれを調整する機能を有する車載用ステレオカメラ装置を開示する。特許文献１に記載された車載用ステレオカメラ装置においては、フェンダーマーカを撮像した画像に基づいて、ステレオカメラの位置ずれを調整している。
【先行技術文献】
【特許文献】
【０００３】
【特許文献１】特開２００１−２３３１３９号公報
【発明の概要】
【０００４】
本開示は、高精度な距離検出を実現できる車載用ステレオカメラ装置を提供する。
【０００５】
本開示における車載用ステレオカメラ装置は、互いの視野が重なるように車両上に配置された第１撮像部及び第２撮像部と、第１撮像部及び第２撮像部により撮像される画像と、第１撮像部及び第２撮像部の車両上の位置に基づき、車両外の物体までの距離を算出する制御部とを備える。さらに、第１撮像部の近傍に配置され、第１撮像部のずれ量を検出する第１検出部と、第２撮像部の近傍に配置され、第２撮像部のずれ量を検出する第２検出部とを備える。制御部は、第１検出部により検出されたずれ量に基づいて、第１撮像部により撮像される画像の切り出し位置を変更し、第２検出部により検出されたずれ量に基づいて、第２撮像部により撮像される画像の切り出し位置を変更する。
【０００６】
本開示における車載用ステレオカメラ装置は、高精度な距離検出を実現できる。
【図面の簡単な説明】
【０００７】
【図１】図１は、実施の形態１の車載ステレオカメラ装置の構成を示したブロック図である。
【図２】図２は、実施の形態１の車載ステレオカメラ装置の構成を示した模式図である。
【図３Ａ】図３Ａは、実施の形態１におけるセンサの構成を示した図である。
【図３Ｂ】図３Ｂは、実施の形態１におけるセンサについて説明した図である。
【図３Ｃ】図３Ｃは、実施の形態１におけるセンサについて説明した図である。
【図４Ａ】図４Ａは、実施の形態１における切り出し位置の変更処理を説明した図である。
【図４Ｂ】図４Ｂは、実施の形態１における切り出し位置の変更処理を説明した図である。
【図５】図５は、実施の形態１におけるキャリブレーション処理を説明したフローチャートである。
【図６Ａ】図６Ａは、実施の形態２におけるセンサの構成を示した図である。
【図６Ｂ】図６Ｂは、実施の形態２におけるセンサについて説明した図である。
【図７】図７は、実施の形態３におけるセンサの構成を示した図である。
【図８】図８は、実施の形態４におけるセンサの構成を示した図である。
【発明を実施するための形態】
【０００８】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【０００９】
なお、添付図面および以下の説明は、当業者が本開示を十分に理解するために、提供されるのであって、これらにより請求の範囲に記載の主題を限定することは意図されていない。
【００１０】
以下、図１〜８を用いて、実施の形態を説明する。
【００１１】
（実施の形態１）
〔車載ステレオカメラ装置の構成〕
図１は、実施の形態１の車載ステレオカメラ装置１００の構成を示したブロック図である。図１において、車載ステレオカメラ装置１００は、左カメラ（第１撮像部）１０１、右カメラ（第２撮像部）１０２、ステレオ処理部（制御部）２００、画像信号記録部３００、センサ４００、モニタ５００、記録装置６００及び電源ＩＦ７００を備える。
【００１２】
左カメラ１０１及び右カメラ１０２で撮像された画像信号は、ステレオ処理部２００及び画像信号記録部３００へ入力される。ステレオ処理部２００は、画像マッチングの技術を用いて、２つの画像の一致度から視差を求める。ステレオ処理部２００は、視差と、左カメラ１０１及び右カメラ１０２間の距離とに基づき、三角測量の原理によって車の外に存在する測定対象物までの距離を算出する。センサ４００は、左カメラ１０１及び右カメラ１０２の各々について物理的な位置情報を取得し、ステレオ処理部２００に送る。左カメラ１０１及び右カメラ１０２で撮像した画像信号及びステレオ処理部２００で算出された距離結果は、モニタ５００に表示されるとともに、記録装置６００に記録される。電源ＩＦ７００は、車のシガーソケットおよびバッテリー等からの電気を各部に供給する。
【００１３】
ステレオ処理部２００は、センサ４００から得られる左カメラ１０１及び右カメラ１０２の物理的な位置情報に基づいてズレ量を算出する位置ズレ量算出部２０１と、位置ズレ量を記録する補正値記録部２０２と、位置ズレ量に基づき、左カメラ１０１及び右カメラ１０２で撮像した画像の切り出し位置を変更する画像補正部２０３と、切り出された左右の画像から視差を算出して測定対象物までの距離に変換する距離測定部２０４とから構成される。
【００１４】
図２は、実施の形態１の車載ステレオカメラ装置１００の構成を示した模式図である。図２において、左カメラ１０１及び右カメラ１０２は、互いの視野が重なるように、フレーム１０３を介して基線長の間隔だけ隔てた状態で車の内部に取り付けられている。左カメラ１０１及び右カメラ１０２は、互いの光軸が平行になるよう製造時に調整されている。左カメラ１０１及び右カメラ１０２は、それぞれ、撮像素子、ズームレンズ、フォーカスレンズ、固定レンズ等を備えている。
【００１５】
本開示では、左右カメラの位置ズレを検出するために、左カメラ１０１の近傍に第１センサ（第１検出部）４００ａが配置され、右カメラ１０２の近傍に第２センサ（第２検出部）４００ｂが設置されている。そして、第１センサ４００ａ及び第２センサ４００ｂからなるセンサ４００が、左カメラ１０１及び右カメラ１０２の物理的な位置情報を取得する。得られた位置情報は、ステレオ処理部２００に入力され、ステレオ処理部２００は、位置情報の変化に基づいて画像の切り出し位置を変更する補正を行い、補正した画像に基づいて対象物までの距離を測定する。
【００１６】
このため、本開示の車載ステレオカメラ装置１００においては、左カメラ１０１及び右カメラ１０２の固定状態が製造時に調整した状態から変化して位置ズレが生じたとしても、距離測定時に誤差が生じることがなく、高精度な距離測定を実現することができる。
【００１７】
〔センサの構成〕
図３Ａは、実施の形態１におけるセンサ４００の構成を示した図である。実施の形態１においては、センサ４００としてフォトインタラプタ４１０ｘ、４１０ｙを用いている。図３Ａでは、説明の簡略化のため、左カメラ１０１側の構成のみを示しているが、右カメラ１０２側も同様の構成を有する。図３Ａにおいて、左カメラ１０１のレンズ部１１１に遮光部４１１ｘ、４１１ｙを設け、それらに対応させてレンズ部１１１を保持する保持部（図示せず）にフォトインタラプタ４１０ｘ、４１０ｙを設置する。フォトインタラプタ４１０ｘ、４１０ｙは、光を検知すると電流が流れる仕組みになっており、得られる電流値からカメラの物理的な位置情報を取得する。
【００１８】
図３Ｂ、図３Ｃは、実施の形態１におけるセンサ４００について説明した図である。図３Ｂは、一例として、初期状態時と経年変化時のフォトインタラプタ４１０ｘとそれに対応する遮光部４１１ｘとの位置関係を示した図である。図３Ｂの（ａ）に示すように、初期状態時は、製造段階でフォトインタラプタ４１０ｘが遮光部４１１ｘにより遮光された状態で固定されているため、フォトインタラプタ４１０ｘには電流が流れず、フォトインタラプタ４１０ｘはＯＦＦとなっている。
【００１９】
一方、経年変化時では、カメラのレンズ部１１１は保持部に対して、初期状態の位置を保てず、相互の位置関係にずれが生じる。特に車載用途では、車内の温度変化や振動等の影響が与える影響は大きく、ずれが生じる可能性が高い。経年変化時では、図３Ｂの（ｂ）に示すように、レンズ部１１１が初期状態の位置から変化することで、レンズ部１１１に設置された遮光部４１１ｘが、保持部に設置されたフォトインタラプタ４１０ｘを遮光しなくなる。これにより、フォトインタラプタ４１０ｘに電流が流れ始め、電流値がある閾値を超えると、フォトインタラプタ４１０ｘがＯＮとなる。この状態は、カメラが初期状態の位置から大きく変化したことを意味し、このままでは正確な距離測定が出来ない。そのため、フォトインタラプタ４１０ｘがＯＮになった場合は、使用者にメンテナンスが必要な旨（エラー）を知らせる。なお、初期状態時と経年変化時のフォトインタラプタ４１０ｙとそれに対応する遮光部４１１ｙとの位置関係についても、同様である。
【００２０】
図３Ｃは、カメラが初期状態の位置から微少に変化した場合に補正を行う方法に関して説明した図である。図３Ｃの（ｂ）に示すように、一例として、フォトインタラプタ４１０ｘは受光素子（フォトセンサ）と発光素子とが対向するように構成されている。そして、図３Ｃの（ａ）に示すように、遮光部４１１ｘがフォトインタラプタ４１０ｘの一部を遮断した場合（−１＜遮光量φ＜１）は、フォトインタラプタ４１０ｘには遮光量φに比例した電流が流れる。検出した電流値は位置ズレ量算出部２０１に記録し、図３Ｃの（ｃ）に示すような予め準備しておいた電流値Ｉと遮光量φの特性から、遮光量φつまりカメラの位置ズレ量を算出し、補正値記録部２０２に入力する。そして、画像補正部２０３で、補正値記録部２０２に入力された値だけ切り出し位置を変更する画像補正を行い、距離測定部２０４で距離測定を行う。このように、カメラの位置ズレを補正することで、カメラが初期状態の位置にある時と変わらない高精度な距離測定を行うことが出来る。
【００２１】
〔画像切り出し位置変更処理〕
図４Ａ、図４Ｂは、実施の形態１における切り出し位置の変更処理を説明した図である。図４Ａ、図４Ｂでは、画像補正部２０３で行う処理を、左カメラ１０１及び右カメラ１０２で得られた初期時及び経年変化時の画像を用いて説明した図である。
【００２２】
図４Ａに示すように、初期時は、画像補正部２０３において所定位置（ｘ，ｙ）から一定の領域を有する画像を切り出し、距離測定部２０４に入力し距離測定を行う。
【００２３】
次に、図４Ｂにおいて、経年変化時の場合の処理を示す。ここでは、一例として、右カメラ１０２のみ、位置ズレが生じた場合を考える。画像補正部２０３では、左カメラ１０１及び右カメラ１０２で撮像した画像信号のうち、ずれが生じた右カメラ１０２で撮像した画像信号の切り出し位置をセンサで検出した位置ズレ量に対応する補正値（Δｘ，Δｙ）だけ平行移動した位置（ｘ＋Δｘ，ｙ＋Δｙ）に変更する。そして、その位置から一定の領域を有する画像を切り出して、距離測定部２０４に入力する。これにより、距離測定部２０４には、初期の場合の切り出し範囲と同じ範囲の画像が入力され、切り出された範囲内で画像マッチングを行うことにより、初期時と変わることなく、距離測定を正確に行うことが可能になる。
【００２４】
〔キャリブレーション処理〕
図５は、車載ステレオカメラ装置１００のキャリブレーション処理を示したフローチャートである。運転者が車のエンジンをかけた際、左カメラ１０１及び右カメラ１０２で撮像された画像信号は、ステレオ処理部２００へ入力され、キャリブレーション処理が開始される（Ｓ１）。ステレオ処理部２００の位置ズレ量算出部２０１は、カメラの物理的なズレ量を算出する（Ｓ２）。ここで算出したズレ量に対し、予めある閾値を設けておき、ステレオ処理部２００はその閾値を超えていないかを判断する（Ｓ３）。閾値を超えていた場合は、ステレオ処理部２００は、モニタ５００にエラーを表示させ、運転者にメンテナンスが必要な旨を通知する（Ｓ４）。
【００２５】
一方、ズレ量が閾値を超えていない場合は、ステレオ処理部２００は、ズレ量を補正値として補正値記録部２０２に格納する（Ｓ５）。そして、画像補正部２０３は、左カメラ１０１及び右カメラ１０２で撮像した画像に対し、補正値に相当する画素数分だけ、切り出し位置を変更させる（Ｓ６）。ここで切出された左右の画像を距離測定部２０４に入力し距離測定を行う。これによりキャリブレーションは終了となる（Ｓ７）。この処理を車のエンジンをかけた際に都度行うことで、正確な距離計測を絶えず行うことが可能になる。
【００２６】
（実施の形態２）
次に、実施の形態２について説明する。実施の形態２は、上記の実施の形態１のうち、〔センサの構成〕のみが異なる。以下、実施の形態２について、実施の形態１とは異なる構成のみを説明する。
【００２７】
図６Ａは、実施の形態２におけるセンサ４００の構成を示した図である。図６Ｂは、実施の形態２におけるセンサ４００について説明した図である。実施の形態２においては、センサ４００としてホール素子４２０を用いている。図６Ａでは、説明の簡略化のため、左カメラ１０１側の構成のみを示しているが、右カメラ１０２側も同様の構成を有する。左カメラ１０１のレンズ部１１１に磁石（磁性体）４２１を設置し、レンズ部１１１を支持する保持部４２２にホール素子４２０を設置する。ホール素子４２０は、対になる磁石４２１との位置関係により出力値が変化する。図６Ｂに示したような、ホール素子とカメラの位置の変化量の特性を予め補正データとして準備しておき、その特性を用いて補正を行う。
【００２８】
例えば、図６Ｂにおいて、初期状態時にホール素子４２０で検出された値を「Ｙ」とする。この場合、磁石４２１とホール素子４２０は間隔「Ｘ」離れた状態で設置されていたことになる。ここで得られた「Ｙ」を位置ズレ量算出部２０１に初期値として記録させておく。
【００２９】
一方、経年変化時では、カメラのレンズ部１１１は保持部４２２に対して、初期状態の位置を保てず、相互の位置関係にずれが生じる。そのため、ホール素子４２０で同様に値を検出すると「Ｙ＋ΔＹ」に変化する。同様に、この数値を位置ズレ量算出部２０１に記録し、初期値「Ｙ」との変化量「ΔＹ」を算出する。そして、予め補正データとして準備しておいたホール素子４２０とカメラの位置の変化量の特性より、ホール素子４２０の値の変化量「ΔＹ」に相当するカメラの位置の変化量「ΔＸ」を算出する。これにより、磁石４２１とホール素子４２０の間隔は「Ｘ＋ΔＸ」に変化したことが分かる。このように、カメラの位置ズレ量を補正することにより、カメラが初期状態の位置にある時と変わらない高精度な距離測定を行うことが出来る。
【００３０】
（実施の形態３）
次に、実施の形態３について説明する。実施の形態３は、上記の実施の形態１のうち、〔センサの構成〕のみが異なる。以下、実施の形態３について、実施の形態１とは異なる構成のみを説明する。
【００３１】
図７は、実施の形態３におけるセンサ４００の構成を示した図である。実施の形態３においては、センサ４００として第１の受光素子４３０ａ、第２の受光素子４３０ｂを用いている。図７において、第１のレーザー光発光素子４３１ａ、第２のレーザー光発光素子４３１ｂ及び第１の受光素子４３０ａ、第２の受光素子４３０ｂは、左カメラ１０１及び右カメラ１０２の近傍に取り付けており、互いに向かい合う形で配置している。一方のカメラに取り付けた第１のレーザー光発光素子４３１ａ、第２のレーザー光発光素子４３１ｂから、それぞれ他方のカメラに取り付けた第２の受光素子４３０ｂ、第１の受光素子４３０ａに向かってレーザー光を照射する。初期状態時では、レーザー光は予め定めていた位置に集光するが、経年変化時では、レーザー光の集光位置は定めていた位置から変化する。これにより、カメラの位置が変化したかを判別し、カメラの位置ズレ量に応じて補正し距離測定を行うことができる。
【００３２】
（実施の形態４）
次に、実施の形態４について説明する。実施の形態４は、上記の実施の形態１のうち、〔センサの構成〕のみが異なる。以下、実施の形態４について、実施の形態１とは異なる構成のみを説明する。
【００３３】
図８は、実施の形態４におけるセンサ４００の構成を示した図である。実施の形態４においては、実施の形態３と同様に、センサ４００として第１の受光素子４３０ａを用いている。
【００３４】
実施の形態４においては、レンズ部１１１の後方に第１のレーザー光発光素子４３１ａ及び第１の受光素子４３０ａを配置している。レンズ部１１１の後方に向けて、第１のレーザー光発光素子４３１ａより、レーザー光を照射し、後方に配置した反射板４３２からの反射光を第１の受光素子４３０ａで受光することにより、カメラの位置ズレ量に応じて補正し距離測定を行うことが可能である。
【００３５】
なお、実施の形態４では、一例として、左カメラ１０１の場合について説明したが、右カメラ１０２の場合も同様である。
【００３６】
（他の実施の形態）
以上のように、本出願において開示する技術の例示として、実施の形態１〜４を説明した。しかしながら、本開示における技術は、これに限定されず、変更、置き換え、付加、省略などを行った実施の形態にも適用できる。また、上記実施の形態１〜４で説明した各構成要素を組み合わせて、新たな実施の形態とすることも可能である。
【００３７】
そこで、以下、他の実施の形態を例示する。
【００３８】
実施の形態１の〔センサの構成〕においては、遮光量をパラメータとした例で説明した。しかしながら。遮光部の透過率を変えることで電流値を制御する構成とすることもできる。
【００３９】
実施の形態１の〔キャリブレーション処理〕においては、Ｓ２でズレ量を算出するたびに、閾値を超えたかどうか判別している。しかしながら、複数回のズレ量を記録しておき、その平均値等から閾値を超えたかどうかを判断することもできる。また、複数回のズレ量の平均値等に基づいて切り出し位置を変更するようにすることもできる。
【００４０】
なお、上述の実施の形態は、本開示における技術を例示するためのものであるから、請求の範囲またはその均等の範囲において種々の変更、置き換え、付加、省略などを行うことができる。
【産業上の利用可能性】
【００４１】
本開示は、車載ステレオカメラ装置に適用することが可能である。
【符号の説明】
【００４２】
１００  車載ステレオカメラ装置
１０１  左カメラ（第１撮像部）
１０２  右カメラ（第２撮像部）
１０３  フレーム
１１１  レンズ部
２００  ステレオ処理部（制御部）
２０１  位置ズレ量算出部
２０２  補正値記録部
２０３  画像補正部
２０４  距離測定部
３００  画像信号記録部
４００  センサ
４００ａ  第１センサ（第１検出部）
４００ｂ  第２センサ（第２検出部）
４１０ｘ，４１０ｙ  フォトインタラプタ
４１１ｘ，４１１ｙ  遮光部
４２０  ホール素子
４２１  磁石（磁性体）
４２２  保持部
４３０ａ  第１の受光素子
４３０ｂ  第２の受光素子
４３１ａ  第１のレーザー光発光素子
４３１ｂ  第２のレーザー光発光素子
４３２  反射板
５００  モニタ
６００  記録装置
７００  電源ＩＦ
【図１】
2017042999.tif 000003
【図２】
2017042999.tif 000004
【図３Ａ】
2017042999.tif 000005
【図３Ｂ】
2017042999.tif 000006
【図３Ｃ】
2017042999.tif 000007
【図４Ａ】
2017042999.tif 000008
【図４Ｂ】
2017042999.tif 000009
【図５】
2017042999.tif 000010
【図６Ａ】
2017042999.tif 000011
【図６Ｂ】
2017042999.tif 000012
【図７】
2017042999.tif 000013
【図８】
2017042999.tif 000014
【手続補正書】
【提出日】平成28年10月6日(2016.10.6)
【手続補正１】
【補正対象書類名】特許請求の範囲
【補正対象項目名】全文
【補正方法】変更
【補正の内容】
【特許請求の範囲】
【請求項１】
互いの視野が重なるように車両上に配置された第１撮像部及び第２撮像部と、
前記第１撮像部及び前記第２撮像部により撮像される画像と、前記第１撮像部及び前記第２撮像部の車両上の位置と、に基づき、車両外の物体までの距離を算出する制御部と、
前記第１撮像部の近傍に配置され、前記第１撮像部のずれ量を検出する第１検出部と、
前記第２撮像部の近傍に配置され、前記第２撮像部のずれ量を検出する第２検出部と、を備え、
前記制御部は、前記第１検出部により検出されたずれ量に基づいて、前記第１撮像部により撮像される画像の切り出し位置を変更し、前記第２検出部により検出されたずれ量に基づいて、前記第２撮像部により撮像される画像の切り出し位置を変更する、
車載用ステレオカメラ装置。
【請求項２】
前記第１検出部は、
前記第１撮像部と、前記第１撮像部を保持する保持部とのうち、いずれか一方に保持された第１のフォトインタラプタと、
前記第１撮像部と、前記第１撮像部を保持する保持部とのうち、他方に保持され、前記第１のフォトインタラプタの光路上に配置された第１の遮光部と、を備え、
前記第２検出部は、
前記第２撮像部と、前記第２撮像部を保持する保持部とのうち、いずれか一方に保持された第２のフォトインタラプタと、
前記第２撮像部と、前記第２撮像部を保持する保持部とのうち、他方に保持され、前記第２のフォトインタラプタの光路上に配置された第２の遮光部と、を備える、
請求項１に記載の車載用ステレオカメラ装置。
【請求項３】
前記第１検出部は、
前記第１撮像部と、前記第１撮像部を保持する保持部とのうち、いずれか一方に保持された第１のホール素子と、
前記第１撮像部と、前記第１撮像部を保持する保持部とのうち、他方に保持された第１の磁性体と、を備え、
前記第２検出部は、
前記第２撮像部と、前記第２撮像部を保持する保持部とのうち、いずれか一方に保持された第２のホール素子と、
前記第２撮像部と、前記第２撮像部を保持する保持部との他方に保持された第２の磁性体と、を備える、
請求項１に記載の車載用ステレオカメラ装置。
【請求項４】
前記第１検出部は、
前記第１撮像部に保持された第１のレーザー光発光素子及び第１の受光素子を備え、
前記第２検出部は、
前記第２撮像部に保持された第２のレーザー光発光素子及び第２の受光素子を備える、
請求項１に記載の車載用ステレオカメラ装置。
【請求項５】
前記第１検出部は、
前記第１撮像部と、前記第１撮像部を保持する保持部とのうち、いずれか一方に保持された第１のレーザー光発光素子及び第１の受光素子と、
前記第１撮像部と、前記第１撮像部を保持する保持部との他方に保持された第１の反射板と、を備え、
前記第２検出部は、
前記第２撮像部と、前記第２撮像部を保持する保持部とのうち、いずれか一方に保持された第２のレーザー光発光素子及び第２の受光素子と、
前記第２撮像部と、前記第２撮像部を保持する保持部との他方に保持された第２の反射板と、を備える、
請求項１に記載の車載用ステレオカメラ装置。
【請求項６】
前記制御部は、
前記ずれ量を複数回求めて記憶し、複数回求めた前記ずれ量の平均値を求め、前記ずれ量の平均値に基づいて前記切り出し位置を変更する、
請求項１に記載の車載用ステレオカメラ装置。
【請求項７】
撮像部の近傍に配置され、前記撮像部のずれ量を検出する検出部を備えた車載用ステレオカメラ装置の補正方法であって、
前記検出部によって、前記撮像部のずれ量を検出するステップと、
前記ずれ量に基づいて、前記撮像部により撮像される画像の切り出し位置を変更するステップと、を備える
車載用ステレオカメラ装置の補正方法。
【請求項８】
前記ずれ量を複数回求めて記憶し、複数回求めた前記ずれ量の平均値を求め、前記ずれ量の平均値に基づいて前記切り出し位置を変更するステップを、さらに備える
請求項７に記載の車載用ステレオカメラ装置の補正方法。
【手続補正書】
【提出日】平成29年3月17日(2017.3.17)
【手続補正１】
【補正対象書類名】明細書
【補正対象項目名】全文
【補正方法】変更
【補正の内容】
【発明の詳細な説明】
【技術分野】
【０００１】
本開示は、車載用ステレオカメラ装置に関する。
【背景技術】
【０００２】
特許文献１は、位置ずれを調整する機能を有する車載用ステレオカメラ装置を開示する。特許文献１に記載された車載用ステレオカメラ装置においては、フェンダーマーカを撮像した画像に基づいて、ステレオカメラの位置ずれを調整している。
【先行技術文献】
【特許文献】
【０００３】
【特許文献１】特開２００１−２３３１３９号公報
【発明の概要】
【０００４】
本開示は、高精度な距離検出を実現できる車載用ステレオカメラ装置を提供する。
【０００５】
本開示における車載用ステレオカメラ装置は、互いの視野が重なるように車両上に配置された第１撮像部及び第２撮像部と、第１撮像部及び第２撮像部により撮像される画像と、第１撮像部及び第２撮像部の車両上の位置に基づき、車両外の物体までの距離を算出する制御部とを備える。さらに、第１撮像部の近傍に配置され、第１撮像部のずれ量を検出する第１検出部と、第２撮像部の近傍に配置され、第２撮像部のずれ量を検出する第２検出部とを備える。制御部は、第１検出部により検出されたずれ量に基づいて、第１撮像部により撮像される画像の切り出し位置を変更し、第２検出部により検出されたずれ量に基づいて、第２撮像部により撮像される画像の切り出し位置を変更する。
【０００６】
本開示における車載用ステレオカメラ装置は、高精度な距離検出を実現できる。
【図面の簡単な説明】
【０００７】
【図１】図１は、実施の形態１の車載ステレオカメラ装置の構成を示したブロック図である。
【図２】図２は、実施の形態１の車載ステレオカメラ装置の構成を示した模式図である。
【図３Ａ】図３Ａは、実施の形態１におけるセンサの構成を示した図である。
【図３Ｂ】図３Ｂは、実施の形態１におけるセンサについて説明した図である。
【図３Ｃ】図３Ｃは、実施の形態１におけるセンサについて説明した図である。
【図４Ａ】図４Ａは、実施の形態１における切り出し位置の変更処理を説明した図である。
【図４Ｂ】図４Ｂは、実施の形態１における切り出し位置の変更処理を説明した図である。
【図５】図５は、実施の形態１におけるキャリブレーション処理を説明したフローチャートである。
【図６Ａ】図６Ａは、実施の形態２におけるセンサの構成を示した図である。
【図６Ｂ】図６Ｂは、実施の形態２におけるセンサについて説明した図である。
【図７】図７は、実施の形態３におけるセンサの構成を示した図である。
【図８】図８は、実施の形態４におけるセンサの構成を示した図である。
【発明を実施するための形態】
【０００８】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【０００９】
なお、添付図面および以下の説明は、当業者が本開示を十分に理解するために、提供されるのであって、これらにより請求の範囲に記載の主題を限定することは意図されていない。
【００１０】
以下、図１〜８を用いて、実施の形態を説明する。
【００１１】
（実施の形態１）
〔車載ステレオカメラ装置の構成〕
図１は、実施の形態１の車載ステレオカメラ装置１００の構成を示したブロック図である。図１において、車載ステレオカメラ装置１００は、左カメラ（第１撮像部）１０１、右カメラ（第２撮像部）１０２、ステレオ処理部（制御部）２００、画像信号記録部３００、センサ４００、モニタ５００、記録装置６００及び電源ＩＦ７００を備える。
【００１２】
左カメラ１０１及び右カメラ１０２で撮像された画像信号は、ステレオ処理部２００及び画像信号記録部３００へ入力される。ステレオ処理部２００は、画像マッチングの技術を用いて、２つの画像の一致度から視差を求める。ステレオ処理部２００は、視差と、左カメラ１０１及び右カメラ１０２間の距離とに基づき、三角測量の原理によって車の外に存在する測定対象物までの距離を算出する。センサ４００は、左カメラ１０１及び右カメラ１０２の各々について物理的な位置情報を取得し、ステレオ処理部２００に送る。左カメラ１０１及び右カメラ１０２で撮像した画像信号及びステレオ処理部２００で算出された距離結果は、モニタ５００に表示されるとともに、記録装置６００に記録される。電源ＩＦ７００は、車のシガーソケットおよびバッテリー等からの電気を各部に供給する。
【００１３】
ステレオ処理部２００は、センサ４００から得られる左カメラ１０１及び右カメラ１０２の物理的な位置情報に基づいてズレ量を算出する位置ズレ量算出部２０１と、位置ズレ量を記録する補正値記録部２０２と、位置ズレ量に基づき、左カメラ１０１及び右カメラ１０２で撮像した画像の切り出し位置を変更する画像補正部２０３と、切り出された左右の画像から視差を算出して測定対象物までの距離に変換する距離測定部２０４とから構成される。
【００１４】
図２は、実施の形態１の車載ステレオカメラ装置１００の構成を示した模式図である。図２において、左カメラ１０１及び右カメラ１０２は、互いの視野が重なるように、フレーム１０３を介して基線長の間隔だけ隔てた状態で車の内部に取り付けられている。左カメラ１０１及び右カメラ１０２は、互いの光軸が平行になるよう製造時に調整されている。左カメラ１０１及び右カメラ１０２は、それぞれ、撮像素子、ズームレンズ、フォーカスレンズ、固定レンズ等を備えている。
【００１５】
本開示では、左右カメラの位置ズレを検出するために、左カメラ１０１の近傍に第１センサ（第１検出部）４００ａが配置され、右カメラ１０２の近傍に第２センサ（第２検出部）４００ｂが設置されている。そして、第１センサ４００ａ及び第２センサ４００ｂからなるセンサ４００が、左カメラ１０１及び右カメラ１０２の物理的な位置情報を取得する。得られた位置情報は、ステレオ処理部２００に入力され、ステレオ処理部２００は、位置情報の変化に基づいて画像の切り出し位置を変更する補正を行い、補正した画像に基づいて対象物までの距離を測定する。
【００１６】
このため、本開示の車載ステレオカメラ装置１００においては、左カメラ１０１及び右カメラ１０２の固定状態が製造時に調整した状態から変化して位置ズレが生じたとしても、距離測定時に誤差が生じることがなく、高精度な距離測定を実現することができる。
【００１７】
〔センサの構成〕
図３Ａは、実施の形態１におけるセンサ４００の構成を示した図である。実施の形態１においては、センサ４００としてフォトインタラプタ４１０ｘ、４１０ｙを用いている。図３Ａでは、説明の簡略化のため、左カメラ１０１側の構成のみを示しているが、右カメラ１０２側も同様の構成を有する。図３Ａにおいて、左カメラ１０１のレンズ部１１１に遮光部４１１ｘ、４１１ｙを設け、それらに対応させてレンズ部１１１を保持する保持部（図示せず）にフォトインタラプタ４１０ｘ、４１０ｙを設置する。フォトインタラプタ４１０ｘ、４１０ｙは、光を検知すると電流が流れる仕組みになっており、得られる電流値からカメラの物理的な位置情報を取得する。
【００１８】
図３Ｂ、図３Ｃは、実施の形態１におけるセンサ４００について説明した図である。図３Ｂは、一例として、初期状態時と経年変化時のフォトインタラプタ４１０ｘとそれに対応する遮光部４１１ｘとの位置関係を示した図である。図３Ｂの（ａ）に示すように、初期状態時は、製造段階でフォトインタラプタ４１０ｘが遮光部４１１ｘにより遮光された状態で固定されているため、フォトインタラプタ４１０ｘには電流が流れず、フォトインタラプタ４１０ｘはＯＦＦとなっている。
【００１９】
一方、経年変化時では、カメラのレンズ部１１１は保持部に対して、初期状態の位置を保てず、相互の位置関係にずれが生じる。特に車載用途では、車内の温度変化や振動等の影響が与える影響は大きく、ずれが生じる可能性が高い。経年変化時では、図３Ｂの（ｂ）に示すように、レンズ部１１１が初期状態の位置から変化することで、レンズ部１１１に設置された遮光部４１１ｘが、保持部に設置されたフォトインタラプタ４１０ｘを遮光しなくなる。これにより、フォトインタラプタ４１０ｘに電流が流れ始め、電流値がある閾値を超えると、フォトインタラプタ４１０ｘがＯＮとなる。この状態は、カメラが初期状態の位置から大きく変化したことを意味し、このままでは正確な距離測定が出来ない。そのため、フォトインタラプタ４１０ｘがＯＮになった場合は、使用者にメンテナンスが必要な旨（エラー）を知らせる。なお、初期状態時と経年変化時のフォトインタラプタ４１０ｙとそれに対応する遮光部４１１ｙとの位置関係についても、同様である。
【００２０】
図３Ｃは、カメラが初期状態の位置から微少に変化した場合に補正を行う方法に関して説明した図である。図３Ｃの（ｂ）に示すように、一例として、フォトインタラプタ４１０ｘは受光素子（フォトセンサ）と発光素子とが対向するように構成されている。そして、図３Ｃの（ａ）に示すように、遮光部４１１ｘがフォトインタラプタ４１０ｘの一部を遮断した場合（−１＜遮光量φ＜１）は、フォトインタラプタ４１０ｘには遮光量φに比例した電流が流れる。検出した電流値は位置ズレ量算出部２０１に記録し、図３Ｃの（ｃ）に示すような予め準備しておいた電流値Ｉと遮光量φの特性から、遮光量φつまりカメラの位置ズレ量を算出し、補正値記録部２０２に入力する。そして、画像補正部２０３で、補正値記録部２０２に入力された値だけ切り出し位置を変更する画像補正を行い、距離測定部２０４で距離測定を行う。このように、カメラの位置ズレを補正することで、カメラが初期状態の位置にある時と変わらない高精度な距離測定を行うことが出来る。
【００２１】
〔画像切り出し位置変更処理〕
図４Ａ、図４Ｂは、実施の形態１における切り出し位置の変更処理を説明した図である。図４Ａ、図４Ｂでは、画像補正部２０３で行う処理を、左カメラ１０１及び右カメラ１０２で得られた初期時及び経年変化時の画像を用いて説明した図である。
【００２２】
図４Ａに示すように、初期時は、画像補正部２０３において所定位置（ｘ，ｙ）から一定の領域を有する画像を切り出し、距離測定部２０４に入力し距離測定を行う。
【００２３】
次に、図４Ｂにおいて、経年変化時の場合の処理を示す。ここでは、一例として、右カメラ１０２のみ、位置ズレが生じた場合を考える。画像補正部２０３では、左カメラ１０１及び右カメラ１０２で撮像した画像信号のうち、ずれが生じた右カメラ１０２で撮像した画像信号の切り出し位置をセンサで検出した位置ズレ量に対応する補正値（Δｘ，Δｙ）だけ平行移動した位置（ｘ＋Δｘ，ｙ＋Δｙ）に変更する。そして、その位置から一定の領域を有する画像を切り出して、距離測定部２０４に入力する。これにより、距離測定部２０４には、初期の場合の切り出し範囲と同じ範囲の画像が入力され、切り出された範囲内で画像マッチングを行うことにより、初期時と変わることなく、距離測定を正確に行うことが可能になる。
【００２４】
〔キャリブレーション処理〕
図５は、車載ステレオカメラ装置１００のキャリブレーション処理を示したフローチャートである。運転者が車のエンジンをかけた際、左カメラ１０１及び右カメラ１０２で撮像された画像信号は、ステレオ処理部２００へ入力され、キャリブレーション処理が開始される（Ｓ１）。ステレオ処理部２００の位置ズレ量算出部２０１は、カメラの物理的なズレ量を算出する（Ｓ２）。ここで算出したズレ量に対し、予めある閾値を設けておき、ステレオ処理部２００はその閾値を超えていないかを判断する（Ｓ３）。閾値を超えていた場合は、ステレオ処理部２００は、モニタ５００にエラーを表示させ、運転者にメンテナンスが必要な旨を通知する（Ｓ４）。
【００２５】
一方、ズレ量が閾値を超えていない場合は、ステレオ処理部２００は、ズレ量を補正値として補正値記録部２０２に格納する（Ｓ５）。そして、画像補正部２０３は、左カメラ１０１及び右カメラ１０２で撮像した画像に対し、補正値に相当する画素数分だけ、切り出し位置を変更させる（Ｓ６）。ここで切出された左右の画像を距離測定部２０４に入力し距離測定を行う。これによりキャリブレーションは終了となる（Ｓ７）。この処理を車のエンジンをかけた際に都度行うことで、正確な距離計測を絶えず行うことが可能になる。
【００２６】
（実施の形態２）
次に、実施の形態２について説明する。実施の形態２は、上記の実施の形態１のうち、〔センサの構成〕のみが異なる。以下、実施の形態２について、実施の形態１とは異なる構成のみを説明する。
【００２７】
図６Ａは、実施の形態２におけるセンサ４００の構成を示した図である。図６Ｂは、実施の形態２におけるセンサ４００について説明した図である。実施の形態２においては、センサ４００としてホール素子４２０を用いている。図６Ａでは、説明の簡略化のため、左カメラ１０１側の構成のみを示しているが、右カメラ１０２側も同様の構成を有する。左カメラ１０１のレンズ部１１１に磁石（磁性体）４２１を設置し、レンズ部１１１を支持する保持部４２２にホール素子４２０を設置する。ホール素子４２０は、対になる磁石４２１との位置関係により出力値が変化する。図６Ｂに示したような、ホール素子とカメラの位置の変化量の特性を予め補正データとして準備しておき、その特性を用いて補正を行う。
【００２８】
例えば、図６Ｂにおいて、初期状態時にホール素子４２０で検出された値を「Ｙ」とする。この場合、磁石４２１とホール素子４２０は間隔「Ｘ」離れた状態で設置されていたことになる。ここで得られた「Ｙ」を位置ズレ量算出部２０１に初期値として記録させておく。
【００２９】
一方、経年変化時では、カメラのレンズ部１１１は保持部４２２に対して、初期状態の位置を保てず、相互の位置関係にずれが生じる。そのため、ホール素子４２０で同様に値を検出すると「Ｙ＋ΔＹ」に変化する。同様に、この数値を位置ズレ量算出部２０１に記録し、初期値「Ｙ」との変化量「ΔＹ」を算出する。そして、予め補正データとして準備しておいたホール素子４２０とカメラの位置の変化量の特性より、ホール素子４２０の値の変化量「ΔＹ」に相当するカメラの位置の変化量「ΔＸ」を算出する。これにより、磁石４２１とホール素子４２０の間隔は「Ｘ＋ΔＸ」に変化したことが分かる。このように、カメラの位置ズレ量を補正することにより、カメラが初期状態の位置にある時と変わらない高精度な距離測定を行うことが出来る。
【００３０】
（実施の形態３）
次に、実施の形態３について説明する。実施の形態３は、上記の実施の形態１のうち、〔センサの構成〕のみが異なる。以下、実施の形態３について、実施の形態１とは異なる構成のみを説明する。
【００３１】
図７は、実施の形態３におけるセンサ４００の構成を示した図である。実施の形態３においては、センサ４００として第１の受光素子４３０ａ、第２の受光素子４３０ｂを用いている。図７において、第１のレーザー光発光素子４３１ａ、第２のレーザー光発光素子４３１ｂ及び第１の受光素子４３０ａ、第２の受光素子４３０ｂは、左カメラ１０１及び右カメラ１０２の近傍に取り付けており、互いに向かい合う形で配置している。一方のカメラに取り付けた第１のレーザー光発光素子４３１ａ、第２のレーザー光発光素子４３１ｂから、それぞれ他方のカメラに取り付けた第２の受光素子４３０ｂ、第１の受光素子４３０ａに向かってレーザー光を照射する。初期状態時では、レーザー光は予め定めていた位置に集光するが、経年変化時では、レーザー光の集光位置は定めていた位置から変化する。これにより、カメラの位置が変化したかを判別し、カメラの位置ズレ量に応じて補正し距離測定を行うことができる。
【００３２】
（実施の形態４）
次に、実施の形態４について説明する。実施の形態４は、上記の実施の形態１のうち、〔センサの構成〕のみが異なる。以下、実施の形態４について、実施の形態１とは異なる構成のみを説明する。
【００３３】
図８は、実施の形態４におけるセンサ４００の構成を示した図である。実施の形態４においては、実施の形態３と同様に、センサ４００として第１の受光素子４３０ａを用いている。
【００３４】
実施の形態４においては、レンズ部１１１の後方に第１のレーザー光発光素子４３１ａ及び第１の受光素子４３０ａを配置している。レンズ部１１１の後方に向けて、第１のレーザー光発光素子４３１ａより、レーザー光を照射し、後方に配置した反射板４３２からの反射光を第１の受光素子４３０ａで受光することにより、カメラの位置ズレ量に応じて補正し距離測定を行うことが可能である。
【００３５】
なお、実施の形態４では、一例として、左カメラ１０１の場合について説明したが、右カメラ１０２の場合も同様である。
【００３６】
（他の実施の形態）
以上のように、本出願において開示する技術の例示として、実施の形態１〜４を説明した。しかしながら、本開示における技術は、これに限定されず、変更、置き換え、付加、省略などを行った実施の形態にも適用できる。また、上記実施の形態１〜４で説明した各構成要素を組み合わせて、新たな実施の形態とすることも可能である。
【００３７】
そこで、以下、他の実施の形態を例示する。
【００３８】
実施の形態１の〔センサの構成〕においては、遮光量をパラメータとした例で説明した。しかしながら。遮光部の透過率を変えることで電流値を制御する構成とすることもできる。
【００３９】
実施の形態１の〔キャリブレーション処理〕においては、Ｓ２でズレ量を算出するたびに、閾値を超えたかどうか判別している。しかしながら、複数回のズレ量を記録しておき、その平均値等から閾値を超えたかどうかを判断することもできる。また、複数回のズレ量の平均値等に基づいて切り出し位置を変更するようにすることもできる。
【００４０】
なお、上述の実施の形態は、本開示における技術を例示するためのものであるから、請求の範囲またはその均等の範囲において種々の変更、置き換え、付加、省略などを行うことができる。
【産業上の利用可能性】
【００４１】
本開示は、車載ステレオカメラ装置に適用することが可能である。
【符号の説明】
【００４２】
１００    車載ステレオカメラ装置
１０１    左カメラ（第１撮像部）
１０２    右カメラ（第２撮像部）
１０３    フレーム
１１１    レンズ部
２００    ステレオ処理部（制御部）
２０１    位置ズレ量算出部
２０２    補正値記録部
２０３    画像補正部
２０４    距離測定部
３００    画像信号記録部
４００    センサ
４００ａ    第１センサ（第１検出部）
４００ｂ    第２センサ（第２検出部）
４１０ｘ，４１０ｙ    フォトインタラプタ
４１１ｘ，４１１ｙ    遮光部
４２０    ホール素子
４２１    磁石（磁性体）
４２２    保持部
４３０ａ    第１の受光素子
４３０ｂ    第２の受光素子
４３１ａ    第１のレーザー光発光素子
４３１ｂ    第２のレーザー光発光素子
４３２    反射板
５００    モニタ
６００    記録装置
７００    電源ＩＦ
３５    接続ソケット
【手続補正２】
【補正対象書類名】特許請求の範囲
【補正対象項目名】全文
【補正方法】変更
【補正の内容】
【特許請求の範囲】
【請求項１】
互いの視野が重なるように車両上に配置された第１撮像部及び第２撮像部と、
前記第１撮像部及び前記第２撮像部により撮像される画像と、前記第１撮像部及び前記第２撮像部の車両上の位置と、に基づき、車両外の物体までの距離を算出する制御部と、
前記第１撮像部の近傍に配置され、前記第１撮像部のずれ量を検出する第１検出部と、
前記第２撮像部の近傍に配置され、前記第２撮像部のずれ量を検出する第２検出部と、を備え、
前記制御部は、前記第１検出部により検出されたずれ量に基づいて、前記第１撮像部により撮像される画像の切り出し位置を変更し、前記第２検出部により検出されたずれ量に基づいて、前記第２撮像部により撮像される画像の切り出し位置を変更する、
車載用ステレオカメラ装置。
【請求項２】
前記第１検出部は、
前記第１撮像部と、前記第１撮像部を保持する保持部とのうち、いずれか一方に保持された第１のフォトインタラプタと、
前記第１撮像部と、前記第１撮像部を保持する保持部とのうち、他方に保持され、前記第１のフォトインタラプタの光路上に配置された第１の遮光部と、を備え、
前記第２検出部は、
前記第２撮像部と、前記第２撮像部を保持する保持部とのうち、いずれか一方に保持された第２のフォトインタラプタと、
前記第２撮像部と、前記第２撮像部を保持する保持部とのうち、他方に保持され、前記第２のフォトインタラプタの光路上に配置された第２の遮光部と、を備える、
請求項１に記載の車載用ステレオカメラ装置。
【請求項３】
前記第１検出部は、
前記第１撮像部と、前記第１撮像部を保持する保持部とのうち、いずれか一方に保持された第１のホール素子と、
前記第１撮像部と、前記第１撮像部を保持する保持部とのうち、他方に保持された第１の磁性体と、を備え、
前記第２検出部は、
前記第２撮像部と、前記第２撮像部を保持する保持部とのうち、いずれか一方に保持された第２のホール素子と、
前記第２撮像部と、前記第２撮像部を保持する保持部との他方に保持された第２の磁性体と、を備える、
請求項１に記載の車載用ステレオカメラ装置。
【請求項４】
前記第１検出部は、
前記第１撮像部に保持された第１のレーザー光発光素子及び第１の受光素子を備え、
前記第２検出部は、
前記第２撮像部に保持された第２のレーザー光発光素子及び第２の受光素子を備える、
請求項１に記載の車載用ステレオカメラ装置。
【請求項５】
前記第１検出部は、
前記第１撮像部と、前記第１撮像部を保持する保持部とのうち、いずれか一方に保持された第１のレーザー光発光素子及び第１の受光素子と、
前記第１撮像部と、前記第１撮像部を保持する保持部との他方に保持された第１の反射板と、を備え、
前記第２検出部は、
前記第２撮像部と、前記第２撮像部を保持する保持部とのうち、いずれか一方に保持された第２のレーザー光発光素子及び第２の受光素子と、
前記第２撮像部と、前記第２撮像部を保持する保持部との他方に保持された第２の反射板と、を備える、
請求項１に記載の車載用ステレオカメラ装置。
【請求項６】
前記制御部は、
前記ずれ量を複数回求めて記憶し、複数回求めた前記ずれ量の平均値を求め、前記ずれ量の平均値に基づいて前記切り出し位置を変更する、
請求項１に記載の車載用ステレオカメラ装置。
【請求項７】
撮像部の近傍に配置され、前記撮像部のずれ量を検出する検出部を備えた車載用ステレオカメラ装置の補正方法であって、
前記検出部によって、前記撮像部のずれ量を検出するステップと、
前記ずれ量に基づいて、前記撮像部により撮像される画像の切り出し位置を変更するステップと、を備える
車載用ステレオカメラ装置の補正方法。
【請求項８】
前記ずれ量を複数回求めて記憶し、複数回求めた前記ずれ量の平均値を求め、前記ずれ量の平均値に基づいて前記切り出し位置を変更するステップを、さらに備える
請求項７に記載の車載用ステレオカメラ装置の補正方法。
【手続補正３】
【補正対象書類名】図面
【補正対象項目名】全図
【補正方法】変更
【補正の内容】
【図１】
2017042999.tif 000015
【図２】
2017042999.tif 000016
【図３Ａ】
2017042999.tif 000017
【図３Ｂ】
2017042999.tif 000018
【図３Ｃ】
2017042999.tif 000019
【図４Ａ】
2017042999.tif 000020
【図４Ｂ】
2017042999.tif 000021
【図５】
2017042999.tif 000022
【図６Ａ】
2017042999.tif 000023
【図６Ｂ】
2017042999.tif 000024
【図７】
2017042999.tif 000025
【図８】
2017042999.tif 000026
【国際調査報告】
2017042999.tif 000027
2017042999.tif 000028
2017042999.tif 000029
2017042999.tif 000030